(57)【要約】【課題】偏光度をモニタ信号として利用することにより偏波モード分散の補償を行う場合に、高次の偏波モード分散が無視できない状況下においても、制御精度が向上した偏波モード分散補償器を得ること。【解決手段】光入力端子１から入力した光信号は、偏波調整部２にて偏波面の調整がなされ、次に、偏波分離部４ａにて、２つの直交偏波成分に分離される。偏波成分の一方は光伝送路３１を経て偏波合成部４ｂに入力され、偏波成分の他方は光伝送路３２、遅延時間調整部５を経て群遅延時間が調整された後に偏波合成部４ｂに入力される。これらの偏波成分は、偏波合成部４ｂにて合波され、その一部は光カプラ９により分岐され、さらに、狭帯域光バンドパスフィルタ１０を透過し、この透過光に対してＤＯＰモニタ１１にて偏光度の測定を行う。制御回路２０は、モニタされた偏光度に基づいて、偏波調整部２および入力偏波モニタ部７を制御する。【選択図】        図１
2008233366.tif 000002
【特許請求の範囲】
【請求項１】
入力される光信号の偏波面の調整を行う偏波調整部と、
この偏波調整部から出力される光信号を相互に直交する２つの偏波成分に分離する偏波分離部と、
この偏波分離部から出力される２つの偏波成分の一方に対して、遅延時間を調整する遅延時間調整部と、
この遅延時間調整部により遅延時間の調整がなされた一方の偏波成分と、前記偏波分離部から出力される他方の偏波成分と、を合成する偏波合成部と、
この偏波合成部から出力される光信号の一部を分岐する光カプラと、この光カプラにより分岐された光信号が入力され所定の周波数帯域における光信号のみを透過させる光バンドパスフィルタと、この光バンドパスフィルタを透過した光信号の偏光度をモニタする偏光度モニタと、を有する入力偏波モニタ部と、
この入力偏波モニタ部によりモニタされた偏光度に基づいて、前記偏波調整部による偏波面の調整を制御すると共に、前記遅延時間調整部による遅延時間の調整を制御する制御部と、
を備えることを特徴とする偏波モード分散補償器。
【請求項２】
入力される光信号の偏波面の調整を行う偏波調整部と、
第１、第２、および第３のポートを有し、前記第１のポートから入力される光信号を前記第２のポートから出力し、前記第２のポートから入力される光信号を前記第３のポートから出力し、かつ、前記偏波調整部から出力される光信号が前記第１のポートから入力される光サーキュレータと、
第１、第２、および第３のポートを有し、前記第１のポートから入力される光信号を相互に直交する２つの偏波成分に分離し、この２つの偏波成分の一方を前記第２のポートから出力すると共に他方を前記第３のポートから出力し、前記第２のポートから入力される光信号と前記第３のポートから入力される光信号を合成して前記第１のポートから出力し、かつ、前記光サーキュレータの第２のポートから出力される光信号が前記第１のポートから入力される偏波分離合成部と、
この偏波分離合成部の第２のポートまたは第３のポートから出力された偏波成分に対して、遅延時間を調整する遅延時間調整部と、
この遅延時間調整部により遅延時間が調整された一方の偏波成分と、他方の偏波成分とが、前記偏波分離合成部の第２のポートおよび第３のポートを介して前記偏波分離合成部へ入力された後に、前記偏波分離合成部の第１のポートから出力され、さらに、前記光サーキュレータの第２のポートに入力される光信号に対して、前記光サーキュレータの第３のポートから出力される光信号の一部を分岐する光カプラと、この光カプラにより分岐された光信号の一部が入力され所定の周波数帯域における光信号のみを透過させる光バンドパスフィルタと、この光バンドパスフィルタを透過した光信号の偏光度をモニタする偏光度モニタと、を有する入力偏波モニタ部と、
この入力偏波モニタ部によりモニタされた偏光度に基づいて、前記偏波調整部による偏波面の調整を制御すると共に、前記遅延時間調整部による遅延時間の調整を制御する制御部と、
を備えることを特徴とする偏波モード分散補償器。
【請求項３】
入力される光信号の偏波面の調整を行う偏波調整部と、
第１、第２、および第３のポートを有し、前記第１のポートから入力される光信号を前記第２のポートから出力し、前記第２のポートから入力される光信号を前記第３のポートから出力し、かつ、前記偏波調整部から出力される光信号が前記第１のポートから入力される光サーキュレータと、
第１、第２、および第３のポートを有し、前記第１のポートから入力される光信号を相互に直交する２つの偏波成分に分離し、この２つの偏波成分の一方を前記第２のポートから出力すると共に他方を前記第３のポートから出力し、前記第２のポートから入力される光信号と前記第３のポートから入力される光信号を合成して前記第１のポートから出力し、かつ、前記光サーキュレータの第２のポートから出力される光信号が前記第１のポートから入力される偏波分離合成部と、
この偏波分離合成部の第２のポートに接続され、前記偏波分離合成部の第２のポートを介して入力される光信号に対して、所定の周波数帯域における光信号のみを反射して出力し、かつ、周波数ごとに遅延時間を調整するファイバブラックグレーティングと、
この偏波分離合成部の第３のポートに接続され、前記偏波分離合成部の第３のポートを介して入力される光信号に対して、所定の周波数帯域における光信号のみを反射して出力し、かつ、周波数ごとに遅延時間を調整するファイバブラックグレーティングと、
前記光サーキュレータの第３のポートに接続され、入力された光信号の偏光度をモニタする入力偏波モニタ部と、
この入力偏波モニタ部によりモニタされた偏光度に基づいて、前記偏波調整部による偏波面の調整を制御すると共に、前記２つのファイバブラックグレーティングの特性を制御する制御部と、
を備えることを特徴とする偏波モード分散補償器。
【請求項４】
入力される光信号の偏波面の調整を行う偏波調整部と、
第１、第２、および第３のポートを有し、前記第１のポートから入力される光信号を前記第２のポートから出力し、前記第２のポートから入力される光信号を前記第３のポートから出力し、かつ、前記偏波調整部から出力される光信号が前記第１のポートから入力される光サーキュレータと、
第１、第２、および第３のポートを有し、前記第１のポートから入力される光信号を相互に直交する２つの偏波成分に分離し、この２つの偏波成分の一方を前記第２のポートから出力すると共に他方を前記第３のポートから出力し、前記第２のポートから入力される光信号と前記第３のポートから入力される光信号を合成して前記第１のポートから出力し、かつ、前記光サーキュレータの第２のポートから出力される光信号が前記第１のポートから入力される偏波分離合成部と、
この偏波分離合成部の第２のポートに接続され、前記偏波分離合成部の第２のポートを介して入力される光信号に対して、光信号の一部を反射して出力し、かつ、周波数ごとに遅延時間の調整をするファイバブラックグレーティングと、
この偏波分離合成部の第３のポートに接続され、前記偏波分離合成部の第３のポートを介して入力される光信号に対して、光信号の一部を反射して出力し、かつ、周波数ごとに遅延時間の調整をするファイバブラックグレーティングと、
前記光サーキュレータの第３のポートに接続され、入力された光信号の一部を分岐する光カプラと、この光カプラにより分岐された光信号の一部が入力され所定の周波数帯域における光信号のみを透過させる光バンドパスフィルタと、この光バンドパスフィルタを透過した光信号の偏光度をモニタする偏光度モニタと、を有する入力偏波モニタ部と、
この入力偏波モニタ部によりモニタされた偏光度に基づいて、前記偏波調整部による偏波面の調整を制御すると共に、前記２つのファイバブラックグレーティングの特性を制御する制御部と、
を備えることを特徴とする偏波モード分散補償器。
【請求項５】
入力される光信号の偏波面の調整を行う偏波調整部と、
第１、第２、および第３のポートを有し、前記第１のポートから入力される光信号を前記第２のポートから出力し、前記第２のポートから入力される光信号を前記第３のポートから出力し、かつ、前記偏波調整部から出力される光信号が前記第１のポートから入力される光サーキュレータと、
この光サーキュレータの第２のポートから出力された光信号に対して、所定の周波数帯域における光信号のみを透過させる光バンドパスフィルタと、
第１、第２、および第３のポートを有し、前記第１のポートから入力される光信号を相互に直交する２つの偏波成分に分離し、この２つの偏波成分の一方を前記第２のポートから出力すると共に他方を前記第３のポートから出力し、前記第２のポートから入力される光信号と前記第３のポートから入力される光信号を合成して前記第１のポートから出力し、かつ、前記光サーキュレータの第２のポートから出力され前記光バンドパスフィルタを透過した光信号が前記第１のポートから入力される偏波分離合成部と、
この偏波分離合成部の第２のポートに接続され、前記偏波分離合成部の第２のポートを介して入力される光信号に対して、光信号の一部を反射して出力し、かつ、周波数ごとに遅延時間の調整をするファイバブラックグレーティングと、
この偏波分離合成部の第３のポートに接続され、前記偏波分離合成部の第３のポートを介して入力される光信号に対して、光信号の一部を反射して出力し、かつ、周波数ごとに遅延時間の調整をするファイバブラックグレーティングと、
前記光サーキュレータの第３のポートに接続され、入力された光信号の偏光度をモニタする入力偏波モニタ部と、
この入力偏波モニタ部によりモニタされた偏光度に基づいて、前記偏波調整部による偏波面の調整を制御すると共に、前記２つのファイバブラックグレーティングの特性を制御する制御部と、
を備えることを特徴とする偏波モード分散補償器。
【請求項６】
入力される光信号に対して、所定の周波数帯域における光信号のみを透過させる光バンドパスフィルタと、
この光バンドパスフィルタを透過した光信号が入力され、入力される光信号の偏波面の調整を行う偏波調整部と、
第１、第２、および第３のポートを有し、前記第１のポートから入力される光信号を前記第２のポートから出力し、前記第２のポートから入力される光信号を前記第３のポートから出力し、かつ、前記偏波調整部から出力される光信号が前記第１のポートから入力される光サーキュレータと、
第１、第２、および第３のポートを有し、前記第１のポートから入力される光信号を相互に直交する２つの偏波成分に分離し、この２つの偏波成分の一方を前記第２のポートから出力すると共に他方を前記第３のポートから出力し、前記第２のポートから入力される光信号と前記第３のポートから入力される光信号を合成して前記第１のポートから出力し、かつ、前記光サーキュレータの第２のポートから出力される光信号が前記第１のポートから入力される偏波分離合成部と、
この偏波分離合成部の第２のポートに接続され、前記偏波分離合成部の第２のポートを介して入力される光信号に対して、光信号の一部を反射して出力し、かつ、周波数ごとに遅延時間の調整をするファイバブラックグレーティングと、
この偏波分離合成部の第３のポートに接続され、前記偏波分離合成部の第３のポートを介して入力される光信号に対して、光信号の一部を反射して出力し、かつ、周波数ごとに遅延時間の調整をするファイバブラックグレーティングと、
前記光サーキュレータの第３のポートに接続され、入力された光信号の偏光度をモニタする入力偏波モニタ部と、
この入力偏波モニタ部によりモニタされた偏光度に基づいて、前記偏波調整部による偏波面の調整を制御すると共に、前記２つのファイバブラックグレーティングの特性を制御する制御部と、
を備えることを特徴とする偏波モード分散補償器。
【請求項７】
前記偏波分離合成部の第２のポートと、前記偏波分離合成部の第２のポートに接続されたファイバブラックグレーティングとの間に設けられ、前記偏波分離合成部の第２のポートに接続されたファイバブラックグレーティングからの反射光の一部を分岐する第１の光カプラと、
この第１の光カプラに接続され、前記第１の光カプラにより分岐された光信号の強度をモニタする第１のパワーモニタ部と、
前記偏波分離合成部の第３のポートと、前記偏波分離合成部の第３のポートに接続されたファイバブラックグレーティングとの間に設けられ、前記偏波分離合成部の第３のポートに接続されたファイバブラックグレーティングからの反射光の一部を分岐する第２の光カプラと、
この第２の光カプラに接続され、前記第２の光カプラにより分岐された光信号の強度をモニタする第２のパワーモニタ部と、
を備え、
前記制御部は、前記入力偏波モニタ部によりモニタされた偏光度に加え、前記第１および第２のパワーモニタ部によりモニタされた信号強度に基づいて、前記偏波調整部による偏波面の調整を制御すると共に、前記２つのファイバブラックグレーティングの特性を制御することを特徴とする請求項３〜６のいずれか１つに記載の偏波モード分散補償器。
【請求項８】
前記偏波分離合成部の第２のポートに接続されたファイバブラックグレーティングが透過した透過光をモニタする第１のパワーモニタ部と、
前記偏波分離合成部の第３のポートに接続されたファイバブラックグレーティングが透過した透過光をモニタする第２のパワーモニタ部と、
を備え、
前記制御部は、前記入力偏波モニタ部によりモニタされた偏光度に加え、前記第１および第２のパワーモニタ部によりモニタされた信号強度に基づいて、前記偏波調整部による偏波面の調整を制御すると共に、前記２つのファイバブラックグレーティングの特性を制御することを特徴とする請求項３〜６のいずれか１つに記載の偏波モード分散補償器。
【請求項９】
前記光バンドパスフィルタの透過帯域は、入射される光信号スペクトルのピーク強度から２０ｄＢ減少した強度で規定される帯域幅よりも狭いことを特長とする請求項１、請求項２、請求項４、請求項５、および請求項６のいずれか１つに記載の偏波モード分散補償器。
【発明の詳細な説明】
【技術分野】
【０００１】
本発明は、光伝送路における偏波モード分散を補償するための偏波モード分散補償器に関するものである。
【背景技術】
【０００２】
近時の光伝送システムの進展に伴い、伝送容量の一層の増大が望まれており、４０Ｇｂｐｓを超える伝送容量の実用化が期待されている。４０Ｇｂｐｓを超える超高速光伝送システムにおいて、偏波モード分散（ＰＭＤ：Ｐｏｌａｒｉｚａｔｉｏｎ  ｍｏｄｅ  ｄｉｓｐｅｒｓｉｏｎ）は無視できない影響を及ぼす。入射偏波に対する偏波モード間の伝播遅延時間の差のことをＤＧＤ（Ｄｉｆｆｅｒｅｎｔｉａｌ  Ｇｒｏｕｐ  Ｄｅｌａｙ；群遅延時間差）と呼び、ＰＭＤはＤＧＤの期待値として定義される。
【０００３】
伝送路に大きなＰＭＤが存在する場合、光パルスの異なる偏波成分毎に伝送路を伝播する時間が異なるため、伝送後に光パルスのパルス幅が広がり、またはパルス波形が劣化する現象が生ずる。高速光伝送システムでは隣接パルス間の伝送時間間隔は極めて短いため、ＰＭＤに起因するパルス広がりは、隣接パルスとのオーバーラップを生じ、受信特性を劣化させる。このため、ＰＭＤによるパルス広がり、または波形劣化を補償する技術が求められている。ＰＭＤにより生じる波形劣化の緩和方法の一つとして、ＰＭＤ補償器が使用されている。
【０００４】
ＰＭＤ補償器としては、非特許文献１に記載されている例をはじめとして、複数の方式が提案されている。大部分のＰＭＤ補償器では、入力の偏波状態に応じて伝播遅延時間が異なるデバイスを伝送路に設けることにより、伝送路のＰＭＤを打ち消す構成となっている。
【０００５】
また、ＰＭＤ補償器の制御に、ＤＯＰ（Ｄｅｇｒｅｅ  ｏｆ  Ｐｏｌａｒｉｚａｔｉｏｎ；偏光度）を利用する方法が知られている（例えば、非特許文献２参照）。ＤＯＰは偏光状態を表す指標であり、完全偏光のときにはＤＯＰは１、無偏光のときには０、その間では０から１の間の値を取る。
【０００６】
ＤＧＤは偏波による伝播遅延時間差であるため、ＤＧＤを有する伝送路を通過した光信号はＤＧＤ量に応じて偏波が回転する。偏波状態の変化の量は光信号の波長によって異なる。変調された光信号は一定のスペクトル幅をもつため、ＤＧＤを有する伝送路を通過した後には、スペクトル成分毎に異なる偏波状態となり、偏光度が低下する。ＤＧＤが大きいほど、波長による偏波状態の変化量も大きくなるため、ＤＧＤが大きな伝送路を通過した光信号はＤＯＰが小さくなる。
【０００７】
従って、ＤＯＰが大きくなるようにＰＭＤ補償器の入力偏波面および２つの偏波間の遅延時間差を調整することで、伝送路のＤＧＤを打ち消すようにＰＭＤ補償器を制御することができる。非特許文献２では、以上の原理を用い、ＤＯＰをモニタ信号として、ＤＯＰが大きくなるように制御することでＰＭＤを補償している。このように、ＤＯＰを完全偏光状態からの逸脱を示す誤差信号としてＰＭＤ制御に利用している。また、同様の従来技術は特許文献１でも開示されており、ＤＯＰをモニタすることでＰＭＤ補償器の制御を行っている。
【０００８】
ＤＧＤを持つ複数の伝送路、およびデバイスが接続されているような場合には、ＰＭＤに無視できない波長依存性が生ずる。これを高次のＰＭＤと呼ぶ。高次ＰＭＤが大きな場合には、各光周波数成分において偏波状態が大きく異なるため、ＤＯＰとＰＭＤとの相関が弱まる。
【０００９】
【特許文献１】特開２００３−２３３０３３号公報
【非特許文献１】Ｈｅｎｒｉｋ Ｓｕｎｎｅｒｕｄ ｅｔ ａｌ，”Ａ Ｃｏｍｐａｒｉｓｏｎ Ｂｅｔｗｅｅｎ Ｄｉｆｆｅｒｅｎｔｉａｌ ＰＭＤ Ｃｏｍｐｅｎｓａｔｉｏｎ Ｔｅｃｈｉｎｉｑｕｅｓ”, Ｊｏｕｒｎａｌ ｏｆ ｌｉｇｈｔｗａｖｅ ｔｅｃｈｎｏｌｏｇｙ”, ｖｏｌ．２０，ｎｏ ３， ２００２
【非特許文献２】Ｎｏｂｕｙｕｋｉ Ｋｉｋｕｃｈｉ, ”Ａｎａｌｙｓｉｓ ｏｆ Ｓｉｇｎａｌ Ｄｅｇｒｅｅ ｏｆ Ｐｏｌａｒｉｚａｔｉｏｎ Ｄｅｇｒａｄａｔｉｏｎ Ｕｓｅｄ ａｓ Ｃｏｎｔｒｏｌ Ｓｉｇｎａｌ ｆｏｒ Ｏｐｔｉｃａｌ Ｐｏｌａｒｉｚａｔｉｏｎ Ｍｏｄｅ Ｄｉｓｐｅｒｓｉｏｎ Ｃｏｍｐｅｎｓａｔｉｏｎ”，Ｊｏｕｒｎａｌ ｏｆ ｌｉｇｈｔｗａｖｅ ｔｅｃｈｎｏｌｏｇｙ， ｖｏｌ. １９，ｎｏ ４，２００１
【発明の開示】
【発明が解決しようとする課題】
【００１０】
しかしながら、上記従来の技術には以下に示すような問題点がある。すなわち、ＤＯＰを誤差信号として偏波モード分散の補償をする従来のＰＭＤ補償器においては、高次のＰＭＤが無視できない状況下では、各周波数成分において偏波状態が大きく異なるため、ＤＯＰとＰＭＤとの相関が弱まり、制御精度が低下するという問題点があった。
【００１１】
本発明は、上記に鑑みてなされたものであって、偏光度をモニタ信号として利用することにより偏波モード分散の補償を行う場合に、高次の偏波モード分散が無視できない状況下においても、制御精度が向上した偏波モード分散補償器を得ることを目的とする。
【課題を解決するための手段】
【００１２】
上述した課題を解決し、目的を達成するために、本発明にかかる偏波モード分散補償器は、入力される光信号の偏波面の調整を行う偏波調整部と、この偏波調整部から出力される光信号を相互に直交する２つの偏波成分に分離する偏波分離部と、この偏波分離部から出力される２つの偏波成分の一方に対して、遅延時間を調整する遅延時間調整部と、この遅延時間調整部により遅延時間の調整がなされた一方の偏波成分と、前記偏波分離部から出力される他方の偏波成分と、を合成する偏波合成部と、この偏波合成部から出力される光信号の一部を分岐する光カプラと、この光カプラにより分岐された光信号が入力され所定の周波数帯域における光信号のみを透過させる光バンドパスフィルタと、この光バンドパスフィルタを透過した光信号の偏光度をモニタする偏光度モニタと、を有する入力偏波モニタ部と、この入力偏波モニタ部によりモニタされた偏光度に基づいて、前記偏波調整部による偏波面の調整を制御すると共に、前記遅延時間調整部による遅延時間の調整を制御する制御部と、を備えることを特徴とする。
【発明の効果】
【００１３】
この発明によれば、入力偏波モニタ部に設けられた光バンドパスフィルタにより光信号の所定の周波数成分のみを選択し、選択した周波数成分に対して測定された偏光度に基づいて、偏波調整部および遅延時間調整部を制御するようにしたので、高次の偏波モード分散が無視できない状況下においても、光バンドパスフィルタを狭帯域にして偏波状態の周波数依存性の影響を抑制することにより、偏波モード分散による波形劣化の補償効果を向上させることができる。
【発明を実施するための最良の形態】
【００１４】
以下に、本発明にかかる偏波モード分散補償器の実施の形態を図面に基づいて詳細に説明する。なお、この実施の形態によりこの発明が限定されるものではない。
【００１５】
実施の形態１．
図１は、本発明にかかる偏波モード分散補償器の実施の形態１の構成を示すブロック図である。図１に示すように、本実施の形態の偏波モード分散補償器は、光入力端子１と、偏波調整部２と、偏波分離部４ａと、光伝送路３１、３２と、遅延時間調整部５と、偏波合成部４ｂと、入力偏波モニタ部７と、制御回路２０と、光出力端子８と、を備えている。
【００１６】
光入力端子１は、偏光調整部２の一端に設けられている。光入力端子１には、ＰＭＤにより波形劣化を被った光信号が入力される。偏波調整部２は、波長板などの偏波面を調整できるデバイスから構成される。偏波調整部２としては、例えば、λ／２板、λ／４を組み合わせたデバイスなどを用いることができる。
【００１７】
偏波分離部４ａは、三つのポートＰ１，Ｐ２，Ｐ３を備え、ポートＰ１は、偏波調整部２の他端と接続されている。偏波分離部４ａは、ポートＰ１を介して入力された光信号を、相互に直交する２つの偏波成分に分離し、２つの偏波成分のうち一方を、ポートＰ２を介して出力し、他方を、ポートＰ３を介して出力する。偏波分離部４ａには、例えば、ポラリゼーションビームスプリッタ（ＰＢＳ）などの偏波分離デバイスを用いる。
【００１８】
偏波合成部４ｂは、光伝送路３１および光伝送路３２を介して、偏波分離部４ａと接続されている。偏波合成部４ｂは、三つのポートＰ４，Ｐ５，Ｐ６を備えている。光伝送路３１は偏波分離部４ａのポートＰ２と偏波合成部４ｂのポートＰ４とを接続し、光伝送路３２は偏波分離部４ａのポートＰ３と偏波合成部４ｂのポートＰ５とを接続する。また、光伝送路３２には、遅延時間調整部５が介在する。偏波合成部４ｂは、ポートＰ４およびポートＰ５を介して入力された２つの偏波成分を合波してポートＰ６を介して出力する。偏波合成部４ｂには、ポラリゼーションビームスプリッタ（ＰＢＳ）などの偏波合成デバイスを用いる。遅延時間調整部５は、光ディレイラインなどの群遅延時間（以下、単に遅延時間という。）を調整できるデバイスで構成される。光伝送路３１、３２は、例えば、光ファイバケーブルからなる。
【００１９】
偏波合成部４ｂのポートＰ６には、入力偏波モニタ部７が接続されている。入力偏波モニタ部７は、偏波合成部４ｂからの出力の一部を分岐する光カプラ９と、この光カプラ９により分岐された光信号が入力され、所定の周波数帯域の必要な光信号スペクトルのみを透過させる狭帯域光バンドパスフィルタ１０と、狭帯域光バンドパスフィルタ１０を透過した光信号に対してＤＯＰをモニタするＤＯＰモニタ１１と、を備えている。光カプラ９は、所定の比率で偏波合成部４ｂからの出力を２つの分岐路に分岐し、狭帯域光バンドパスフィルタ１０へ分岐された光信号以外の光信号は、光出力端子８を介して偏波モード分散補償器外部へ出力される。ＤＯＰモニタ１１は、入力信号をその複数の偏波軸で分離し、それらの強度を測定すること等によって偏光度を計測してモニタする。ＤＯＰモニタ１１は市場から入手することもできる。
【００２０】
制御回路２０は、入力偏波モニタ部７によるＤＯＰのモニタ結果に基づき、遅延時間調整部５および偏波調整部２の制御をする。
【００２１】
次に、本実施の形態の動作について説明する。ＰＭＤによる波形劣化を被った光信号は、光入力端子１を介して、偏波調整部２に入力する。偏波調整部２は、入力された光信号の偏波面を調整した後、偏波面の調整された光信号を偏波分離部４ａに出力する。偏波分離部４ａは、入力された光信号を、相互に直交する２つの偏波成分、例えば、水平偏波と垂直偏波、に分離する。
【００２２】
２つの偏波成分の一方は、光伝送路３１を伝播して偏波合成部４ｂに入力される。また、他方の偏波成分は、光伝送路３２を伝播して遅延時間調整部５に入力される。遅延時間調整部５は、この他方の偏波成分の遅延時間を調整して、２つの偏波成分間の遅延時間差を補償する。遅延時間調整部５から出力された光信号は、さらに、光伝送路３２を伝播して偏波調整部４ｂに入力される。
【００２３】
偏波合成部４ｂは、遅延時間差調整のなされた２つの偏波成分を合波し、入力偏波モニタ部７へ出力する。入力偏波モニタ部７において、偏波合成部４ｂから出力された光信号の一部は光カプラ９により狭帯域光バンドパスフィルタ１０へ送られ、残部は偏波モード分散補償器の出力として、出力端子８を介して出力される。狭帯域光バンドパスフィルタ１０は、入力された光信号に対して、所定の周波数帯域における光信号のみを透過させ、ＤＯＰモニタ１１へ出力する。ＤＯＰモニタ１１では、入力された光信号の偏光度が測定される。
【００２４】
ＤＯＰモニタ１１へ入力される光信号の周波数帯域が広いほど、高次ＰＭＤの影響が大きくなり、ＤＯＰを用いた遅延時間調整制御の精度が劣化するため、狭帯域光バンドパスフィルタ１０の透過帯域は、高次ＰＭＤの影響を低減するように狭帯域に設定する。このような観点から、狭帯域光バンドパスフィルタ１０の透過帯域は、光信号のピーク強度から、例えば、２０ｄＢ減少した強度で規定される帯域幅（ピークを含む領域）よりも狭いことが好ましく、さらに、この規定された帯域幅の３分の２から１０分の一程度とすることがより好ましい。
【００２５】
また、光出力端子８から出力される光信号は、狭帯域光バンドパスフィルタ１０によるスペクトル狭窄を受けることがないため、狭帯域光バンドパスフィルタ１０の透過帯域は信号スペクトル幅よりも狭くすることが可能である。
【００２６】
制御回路２０は、ＤＯＰをモニタしながらＤＯＰが大きくなるように遅延時間調整部５の群遅延時間および偏波調整部２の偏波状態を調整することでＰＭＤを補償する。
【００２７】
本実施の形態によれば、入力偏波モニタ部７の狭帯域光バンドパスフィルタ１０により信号スペクトルの一部の周波数成分のみを選択し、選択した周波数成分が被ったＤＧＤによるＤＯＰ低下を打ち消すようにＰＭＤ補償器を制御することで、高次ＰＭＤが無視できない状況下においても、ＰＭＤの波形劣化の補償効果を高めることができる、という効果を奏する。
【００２８】
実施の形態２．
図２は、本発明にかかる偏波モード分散補償器の実施の形態２の構成を示すブロック図である。なお、図１と同一の構成部分には、同一の符号を付している。図２に示すように、本実施の形態の偏波モード分散補償器は、光入力端子１と、偏波調整部２と、光サーキュレータ３と、偏波分離合成部４と、光伝送路３３、３５と、遅延時間調整部５と、入力偏波モニタ部７と、制御回路２０と、光出力端子８と、を備えている。
【００２９】
光入力端子１は、偏光調整部２の一端に設けられている。光入力端子１には、ＰＭＤにより波形劣化を被った光信号が入力される。偏波調整部２は、波長板などの偏波面を調整できるデバイスから構成される。偏波調整部２としては、例えば、λ／２板、λ／４を組み合わせたデバイスなどを用いることができる。
【００３０】
光サーキュレータ３は、三つのポートＰ７，Ｐ８，Ｐ９を備え、ポートＰ７からの入射光をポートＰ８へ出射し、ポートＰ８からの入射光をポートＰ９へ出射し、ポートＰ９からの入射光をポートＰ７へ出射する機能を有する。偏波調整部２は、光サーキュレータ３のポートＰ７と接続されている。
【００３１】
偏波分離合成部４は、三つのポートＰ１０，Ｐ１１，Ｐ１２を備え、偏波分離合成部４のポートＰ１０は、光サーキュレータ３のポートＰ８と接続されている。偏波分離合成部４は、ポートＰ１０を介して入力された光信号を、２つの直交偏波成分に分離し、２つの偏波成分のうち一方を、ポートＰ１１を介して光伝送路３３へ出力すると共に、２つの偏波成分のうち他方を、ポートＰ１２を介して光伝送路３５へ出力する。また、ポートＰ１１およびポートＰ１２を介して入力された２つの偏波成分を合波して、ポートＰ１０を介して出力する。偏波分離合成部４は、例えば、ポラリゼーションビームスプリッタ（ＰＢＳ）などの偏波分離、および偏波合成デバイスを用いて構成される。
【００３２】
偏波分離合成部４のポートＰ１１には光伝送路３３が接続されており、偏波分離合成部４からポートＰ１１を介して出力された光信号は光伝送路３３を伝播した後、再び同一のポートＰ１１を介して偏波分離合成部４へ入力されるように構成されている。図示例では、光カプラを用いて、光伝送路３３の先端にループが形成される構成とすることにより、ポートＰ１１から出力された光信号が、再びポートＰ１１を介して偏波分離合成部４へ入力されるようにしている。偏波分離合成部４のポートＰ１２には光伝送路３５が接続されており、さらに、光伝送路３５には遅延時間調整部５が介在している。すなわち、偏波分離部４からポートＰ１２を介して出力された光信号は光伝送路３５を伝播し、遅延時間調整部５にて遅延時間を調整された後に、再び同一のポートＰ１２を介して偏波分離合成部４へ入力されるように構成されている。同様に図示例では、光カプラを用いて、光伝送路３５の先端にループが形成される構成とし、このループに遅延時間調整部５が設けられている。
【００３３】
光サーキュレータ３のポートＰ９には、入力偏波モニタ部７が接続されている。入力偏波モニタ部７は、光サーキュレータ３のポートＰ９を介して入力される光信号の一部を分岐する光カプラ９と、この光カプラ９により分岐された光信号が入力され、所定の周波数帯域の必要な光信号スペクトルのみを透過させる狭帯域光バンドパスフィルタ１０と、狭帯域光バンドパスフィルタ１０を透過した光信号に対してＤＯＰをモニタするＤＯＰモニタ１１と、を備えている。
【００３４】
制御回路２０は、ＤＯＰをモニタしながらＤＯＰが大きくなるように遅延時間調整部５の遅延時間および偏波調整部２の偏波状態を調整することでＰＭＤを補償する。
【００３５】
次に、本実施の形態の動作について説明する。ＰＭＤによる波形劣化を被った光信号は、光入力端子１を介して、偏波調整部２に入力する。偏波調整部２は、入力された光信号の偏波面を調整した後、偏波面の調整された光信号を、ポートＰ７を介して光サーキュレータ３に出力する。光サーキュレータ３は、偏波調整部２から入力された光信号を、ポートＰ８を介して出力し、この出力された光信号はポートＰ１０を介して偏波分離合成部４に入力される。偏波分離合成部４では、偏波調整部２から出力された光信号を、相互に直交する２つの偏波成分、例えば、水平偏波と垂直偏波、に分離する。
【００３６】
偏波分離合成部４にて分離された２つの偏波成分の一方はポートＰ１１を介して光伝送路３３に出力され、光伝送路３３を伝播した後、再びポートＰ１１を介して偏波分離合成部４に入力される。また、他方の偏波成分はポートＰ１２を介して光伝送路３５に出力され、光伝送路３５を伝播し、遅延時間調整部５にて遅延時間が調整された後に、さらに光伝送路３５を伝播して、再びポートＰ１２を介して偏波分離合成部４に入力される。遅延時間調整部５は、２つの偏波成分間の遅延時間差を補償するように、光伝送路３５を伝播する光信号の遅延時間を調整する。
【００３７】
偏波分離合成部４は、遅延時間差調整のなされた２つの偏波成分を合波し、ポートＰ１０，ポートＰ８を介して光サーキュレータ３へ出力する。光サーキュレータ３はＰ８を介して入力された光信号を、ポートＰ９を介して、入力偏波モニタ部７へ出力する。入力偏波モニタ部７において、偏波分離合成部４から出力された光信号の一部は、光カプラ９により狭帯域光バンドパスフィルタ１０へ送られ、残部は偏波モード分散補償器の出力として、出力端子８を介して出力される。狭帯域光バンドパスフィルタ１０は、入力された光信号に対して、所定の周波数帯域における光信号のみを透過させ、ＤＯＰモニタ１１へ出力する。ＤＯＰモニタ１１では、入力された光信号の偏光度が測定される。
【００３８】
ＤＯＰモニタ１１へ入力される光信号の周波数帯域が広いほど、高次ＰＭＤの影響が大きくなり、ＤＯＰを用いた遅延時間調整制御の精度が劣化するため、狭帯域光バンドパスフィルタ１０の透過帯域は、高次ＰＭＤの影響を低減するように狭帯域に設定する。狭帯域光バンドパスフィルタ１０の透過帯域は、光信号のピーク強度から、例えば、２０ｄＢ減少した強度で規定される帯域幅（ピークを含む領域）よりも狭いことが好ましく、さらに、この規定された帯域幅の３分の２から十分の一程度とすることがより好ましい。
【００３９】
また、光出力端子８から出力される光信号は、狭帯域光バンドパスフィルタ１０によるスペクトル狭窄を受けることがないため、狭帯域光バンドパスフィルタ１０の透過帯域は信号スペクトル幅よりも狭くすることが可能である。
【００４０】
本実施の形態によれば、実施の形態１と同様に、入力偏波モニタ部７の狭帯域光バンドパスフィルタ１０により信号スペクトルの一部の周波数成分のみを選択し、選択した周波数成分が被ったＤＧＤによるＤＯＰ低下を打ち消すようにＰＭＤ補償器を制御することで、高次ＰＭＤが無視できない状況下においても、ＰＭＤの波形劣化の補償効果を高めることができる、という効果を奏する。
【００４１】
実施の形態３．
図３は、本発明にかかる偏波モード分散補償器の実施の形態３の構成を示すブロック図である。なお、図１または図２と同一の構成部分には、同一の符号を付している。図３に示すように、本実施の形態の偏波モード分散補償器は、光入力端子１と、偏波調整部２と、光サーキュレータ３と、偏波分離合成部４と、光伝送路３７、３８と、ファイバブラックグレーティング５ａ、５ｂと、入力偏波モニタ部７ａと、制御回路２０と、光出力端子８と、を備えている。
【００４２】
光入力端子１は、偏光調整部２の一端に設けられている。光入力端子１には、ＰＭＤにより波形劣化を被った光信号が入力される。偏波調整部２は、波長板などの偏波面を調整できるデバイスから構成される。偏波調整部２としては、例えば、λ／２板、λ／４を組み合わせたデバイスなどを用いることができる。
【００４３】
光サーキュレータ３は、三つのポートＰ７，Ｐ８，Ｐ９を備え、ポートＰ７からの入射光をポートＰ８へ出射し、ポートＰ８からの入射光をポートＰ９へ出射し、ポートＰ９からの入射光をポートＰ７へ出射する機能を有する。偏波調整部２は、光サーキュレータ３のポートＰ７と接続されている。
【００４４】
偏波分離合成部４は、三つのポートＰ１０，Ｐ１１，Ｐ１２を備え、偏波分離合成部４のポートＰ１０は、光サーキュレータ３のポートＰ８と接続されている。偏波分離合成部４は、ポートＰ１０を介して入力された光信号を、２つの直交偏波成分に分離し、２つの偏波成分のうち一方を、ポートＰ１１を介して光伝送路３７へ出力すると共に、２つの偏波成分のうち他方を、ポートＰ１２を介して光伝送路３８へ出力する。また、ポートＰ１１およびポートＰ１２を介して入力された２つの偏波成分を合波して、ポートＰ１０を介して出力する。偏波分離合成部４は、例えば、ポラリゼーションビームスプリッタ（ＰＢＳ）などの偏波分離、および偏波合成デバイスを用いて構成される。
【００４５】
偏波分離合成部４のポートＰ１１には、光伝送路３７を介して、ファイバブラックグレーティング５ａが接続されている。また、偏波分離合成部４のポートＰ１２には、光伝送路３８を介して、ファイバブラックグレーティング６ａが接続されている。ファイバブラックグレーティング５ａ、６ａは、例えば、チャープト型である。２つのファイバブラックグレーティング５ａ、６ａは、所定の周波数帯域の必要な光信号スペクトルのみを反射し、周波数ごとに遅延時間を調整する。温度、応力等の条件を調整することで、反射周波数、遅延時間を調整することができる。
【００４６】
光サーキュレータ３のポートＰ９には、入力偏波モニタ部７ａが接続されている。入力偏波モニタ部７ａは、偏波状態を測定するＤＯＰモニタ等のデバイスを必要とするが、必ずしも光信号を分岐する光カプラと狭帯域光バンドパスフィルタを必要としない。
【００４７】
制御回路２０は、ＤＯＰをモニタしながらＤＯＰが大きくなるようにファイバブラックグレーティング５ａ、６ａ間の遅延時間差および偏波調整部２の偏波状態を調整することでＰＭＤを補償する。
【００４８】
次に、本実施の形態の動作について説明する。ＰＭＤによる波形劣化を被った光信号は、光入力端子１を介して、偏波調整部２に入力する。偏波調整部２は、入力された光信号の偏波面を調整した後、偏波面の調整された光信号を、ポートＰ７を介して光サーキュレータ３に出力する。光サーキュレータ３は、偏波調整部２から入力された光信号を、ポートＰ８を介して出力し、この出力された光信号はポートＰ１０を介して偏波分離合成部４に入力される。偏波分離合成部４では、偏波調整部２から出力された光信号を、相互に直交する２つの偏波成分、例えば、水平偏波と垂直偏波、に分離する。
【００４９】
偏波分離合成部４にて分離された２つの偏波成分の一方はポートＰ１１を介して光伝送路３７に出力され、光伝送路３７を伝播した光信号はファイバブラックグレーティング５ａに入射され、この入射された光信号のうち所定の周波数成分のみがファイバブラックグレーティング５ａにより反射される。ファイバブラックグレーティング５ａにより反射された光信号は、光伝送路３７を伝播し、再びポートＰ１１を介して偏波分離合成部４に入力される。また、他方の偏波成分はポートＰ１２を介して光伝送路３８に出力され、光伝送路３８を伝播した光信号はファイバブラックグレーティング６ａに入射され、この入射された光信号のうち所定の周波数成分のみがファイバブラックグレーティング６ａにより反射される。ファイバブラックグレーティング６ａにより反射された光信号は、光伝送路３８を伝播し、再びポートＰ１２を介して偏波分離合成部４に入力される。なお、ファイバブラックグレーティング５ａ、６ａによる反射の際に、２つの偏波成分間の遅延時間差を補償するように、ファイバブラックグレーティング５ａ、６ａの群遅延時間特性が制御部２０により制御されている。
【００５０】
偏波分離合成部４は、遅延時間差調整のなされた２つの偏波成分を合波し、ポートＰ１０，ポートＰ８を介して光サーキュレータ３へ出力する。光サーキュレータ３はポートＰ８を介して入力された光信号を、ポートＰ９を介して、入力偏波モニタ部７ａへ出力する。入力偏波モニタ部７ａにおいては、内部に設けられたＤＯＰモニタ等を利用して、入力された光信号の偏光度が測定される。
【００５１】
ＤＯＰモニタへ入力される光信号の周波数帯域が広いほど、高次ＰＭＤの影響が大きくなり、ＤＯＰを用いた遅延時間調整制御の精度が劣化するため、２つのファイバブラックグレーティング５ａ、６ａで反射される光信号スペクトルは、入射される光信号スペクトルのピーク強度から、例えば、２０ｄＢ減少した強度で規定される帯域幅（ピークを含む領域）よりも狭いことが好ましい。
【００５２】
本実施の形態によれば、２つのファイバブラックグレーティング５ａ、６ａにより所定の周波数帯域の必要な光信号スペクトルのみを取り出し、入力偏波モニタ部７ａへの入射信号の周波数帯域を狭くすることで、ＤＯＰの精度劣化を抑制することができ、高次ＰＭＤが無視できない状況下においても、ＰＭＤの補償精度を改善することができる。
【００５３】
なお、前述のように、偏波モニタ部７ａを、実施の形態１における偏波モニタ部７と同様の構成にすることもできる。
【００５４】
実施の形態４．
図４は、本発明にかかる偏波モード分散補償器の実施の形態４の構成を示すブロック図である。なお、図１〜図３と同一の構成部分には、同一の符号を付している。図４に示すように、本実施の形態は、実施の形態３の構成を示す図３と比較して、入力偏波モニタ部７と、ファイバブラックグレーティング５ｂ、６ｂとが異なる。
【００５５】
２つのファイバブラックグレーティング５ｂ、６ｂは、遅延時間を調整する構成をとるが、必ずしも、必要な光信号スペクトル成分のみを反射しなくてもよい。また、入力偏波モニタ部７の構成は、実施の形態１または２における入力偏波モニタ部７の構成と同様である。本実施の形態においては、２つのファイバブラックグレーティング５ｂ、６ｂにより、２つの偏波成分間の遅延時間差の調整がなされ、入力偏波モニタ部７に設けられた狭帯域光バンドパスフィルタ１０により、所定の周波数帯域における光信号のみを透過させ、この透過させた光信号に対してＤＯＰをモニタする。
【００５６】
本実施の形態によれば、実施の形態１と同様に、狭帯域光バンドパスフィルタ１０を用いることで、高次ＰＭＤにより偏波変動を被った不要な周波数成分が取り除かれるため、ＤＯＰの精度が改善し、高次ＰＭＤが無視できない状況下においても、ＰＭＤの補償精度を向上することができる。
【００５７】
また、光出力端子８から出力される光信号は、狭帯域光バンドパスフィルタ１０によるスペクトル狭窄を受けることがないため、狭帯域光バンドパスフィルタ１０の透過帯域は信号スペクトル幅よりも狭くすることが可能である。
【００５８】
なお、実施の形態１と同様に、狭帯域光バンドパスフィルタ１０の透過帯域は、光信号のピーク強度から、例えば、２０ｄＢ減少した強度で規定される帯域幅（ピークを含む領域）よりも狭いことが好ましく、さらに、この規定された帯域幅の３分の２から１０分の一程度とすることがより好ましい。
【００５９】
実施の形態５．
図５は、本発明にかかる偏波モード分散補償器の実施の形態５の構成を示すブロック図である。なお、図１〜図４と同一の構成部分には、同一の符号を付している。図５に示すように、本実施の形態は、実施の形態３の構成を示す図３と比較して、ファイバブラックグレーティング５ｂ、６ｂが異なり、さらに、光サーキュレータ３と偏波分離合成部４との間に、所定の周波数帯域における必要な光信号スペクトル成分のみを透過させる光バンドパスフィルタ１２が設けられている点が異なる。
【００６０】
２つのファイバブラックグレーティング５ｂ、６ｂは、遅延時間を調整する構成をとるが、実施の形態４と同様に、必ずしも、必要な光信号スペクトル成分のみを反射しなくてもよい。光バンドパスフィルタ１２は、偏波調整部２から光サーキュレータ３のポート７、８を経由して入力される光信号に対して、所定の周波数帯域における光信号のみを透過させ、偏波分離合成部４へ出力する。
【００６１】
また、入力偏波モニタ部７ａの構成は、光サーキュレータ３からの出力光の一部を取り出す光カプラ、狭帯域光バンドパスフィルタ、およびＤＯＰモニタを備えて構成してもよいし、偏波状態をモニタするだけの構成でもよい。
【００６２】
また、光バンドパスフィルタ１２の透過帯域は、入射される光信号のピーク強度から、例えば、２０ｄＢ減少した強度で規定される帯域幅（ピークを含む領域）よりも狭いことが好ましい。
【００６３】
本実施の形態によれば、光バンドパスフィルタ１２を設けることで、高次ＰＭＤにより偏波変動を被った不要な周波数成分が取り除かれるため、ＤＯＰの精度が改善し、高次ＰＭＤが無視できない状況下においても、ＰＭＤの補償精度を向上することができる。
【００６４】
また、入力偏波モニタ部７ａに光カプラと狭帯域バンドパスフィルタを用いることで、光出力端子８から出力される光信号は、狭帯域光バンドパスフィルタによるスペクトル狭窄を受けることがないため、狭帯域光バンドパスフィルタの透過帯域は信号スペクトル幅よりも狭くすることが可能である。
【００６５】
実施の形態６．
図６は、本発明にかかる偏波モード分散補償器の実施の形態６の構成を示すブロック図である。なお、図１〜図５と同一の構成部分には、同一の符号を付している。図６に示すように、本実施の形態は、実施の形態５の構成を示す図５と比較して、光バンドパスフィルタ１３が、光入力端子１と偏波調整部２との間に設けられている点が異なる。
【００６６】
光バンドパスフィルタ１３は、光入力端子１を介して入力されたＰＭＤによる波形劣化を被った光信号に対して、所定の周波数帯域における光信号のみを透過させ、光サーキュレータ３のポート７へ出力する。また、光バンドパスフィルタ１３の透過帯域は、入射される光信号のピーク強度から、例えば、２０ｄＢ減少した強度で規定される帯域幅（ピークを含む領域）よりも狭いことが好ましい。
【００６７】
本実施の形態によれば、光バンドパスフィルタ１３を設けることで、高次ＰＭＤにより偏波変動を被った不要な周波数成分が取り除かれるため、ＤＯＰの精度が改善し、高次ＰＭＤが無視できない状況下においても、ＰＭＤの補償精度を向上することができる。
【００６８】
また、入力偏波モニタ部７ａに光カプラと狭帯域バンドパスフィルタを用いることで、光出力端子８から出力される光信号は、狭帯域光バンドパスフィルタによるスペクトル狭窄を受けることがないため、狭帯域光バンドパスフィルタの透過帯域は信号スペクトル幅よりも狭くすることが可能である。
【００６９】
実施の形態７．
図７は、本発明にかかる偏波モード分散補償器の実施の形態７の構成を示すブロック図である。なお、図１〜図６と同一の構成部分には、同一の符号を付している。図７に示すように、本実施の形態は、実施の形態３の構成を示す図３と比較して、偏波分離合成部４と２つのファイバブラックグレーティング５ａ、６ａとの間に、それぞれファイバブラックグレーティング５ａ、６ａからの反射光の一部を分岐する光カプラ１４、１６が設けられており、さらに、光カプラ１４により分岐された反射光の一部が入力されるパワーモニタ部１５、および光カプラ１６により分岐された反射光の一部が入力されるパワーモニタ部１７が設けられている。
【００７０】
また、本実施の形態は、入力偏波モニタ部７ａおよび２つのパワーモニタ部１５、１７からの出力を基に、偏波調整部２の偏波状態、および２つのファイバブラックグレーティング５ａ、６ａの群遅延時間差を調整する制御回路２１を備えている。
【００７１】
パワーモニタ部１５、１７は、例えばフォトディテクター（ＰＤ）などで構成され、ファイバブラックグレーティング５ａ、６ａからの反射光のパワーをモニタする。
【００７２】
制御回路２１は、入力偏波モニタ部７ａにて計測されたＤＯＰをモニタしながらＤＯＰが大きくなるように２つのファイバブラックグレーティング５ａ、６ａの遅延時間差、および偏波調整部２の偏波状態を制御する。
【００７３】
また、制御回路２１は、パワーモニタ部１５、１６の出力をモニタしながらその出力が大きくなるように２つのファイバブラックグレーティング５ａ、６ａの温度および応力等を制御する。
【００７４】
本実施の形態によれば、２つのファイバブラックグレーティング５ａ、６ａからの反射光が大きくなるように制御することで、２つのファイバブラックグレーティング５ａ、６ａによる反射信号の調整精度を高めることができ、ＤＯＰの精度がより改善し、高次ＰＭＤが無視できない状況下においても、ＰＭＤの補償精度を向上することができる。
【００７５】
実施の形態８．
図８は、本発明にかかる偏波モード分散補償器の実施の形態８の構成を示すブロック図である。なお、図１〜図７と同一の構成部分には、同一の符号を付している。図８に示すように、本実施の形態は、実施の形態７の構成を示す図７と比較して、２つのファイバブラックグレーティング５ａ、６ａの後段にそれぞれパワーモニタ部１８、１９が設けられている。
【００７６】
すなわち、偏波分離合成部４にて分離された２つの直交偏波成分のうちの一方は、ポートＰ１１、光伝送路３７を経てファイバブラックグレーティング５ａに達し、その光信号の一部は反射されて、光伝送路３７、ポートＰ１１を経て偏波分離合成部４へ伝播するのに対して、光信号の残部はファイバブラックグレーティング５ａを透過し、ファイバブラックグレーティング５ａの後段に設けられたパワーモニタ部１８へ入力される。また、同様に、２つの直交偏波成分のうちの他方は、ポートＰ１２、光伝送路３８を経てファイバブラックグレーティング６ａに達し、その光信号の一部は反射されて、光伝送路３８、ポートＰ１２を経て偏波分離合成部４へ伝播するのに対して、光信号の残部はファイバブラックグレーティング６ａを透過し、ファイバブラックグレーティング６ａの後段に設けられたパワーモニタ部１９へ入力される。
【００７７】
また、本実施の形態は、入力偏波モニタ部７ａおよび２つのパワーモニタ部１８、１９からの出力を基に、偏波調整部２の偏波状態、および２つのファイバブラックグレーティング５ａ、６ａの群遅延時間差を調整する制御回路２２を備えている。
【００７８】
パワーモニタ部１５、１７は、例えばフォトディテクター（ＰＤ）などで構成され、ファイバブラックグレーティング５ａ、６ａからの透過光のパワーをモニタする。
【００７９】
制御回路２２は、入力偏波モニタ部７ａにて計測されたＤＯＰをモニタしながらＤＯＰが大きくなるように２つのファイバブラックグレーティング５ａ、６ａの遅延時間差、および偏波調整部２の偏波状態を制御する。
【００８０】
また、制御回路２１は、パワーモニタ部１８、１９の出力をモニタしながらその出力が小さくなるように２つのファイバブラックグレーティング５ａ、６ａの温度および応力等を制御する。
【００８１】
本実施の形態によれば、２つのファイバブラックグレーティング５ａ、６ａの透過光が小さくなるように制御することで、２つのファイバブラックグレーティング５ａ、６ａによる反射信号の調整精度を高めることができ、ＤＯＰの精度がより改善し、高次ＰＭＤが無視できない状況下においても、ＰＭＤの補償精度を向上することができる。
【産業上の利用可能性】
【００８２】
以上のように、本発明にかかる偏波モード分散補償器は、光伝送路に偏波依存特性が存在する高速光伝送システムに有用である。
【図面の簡単な説明】
【００８３】
【図１】本発明にかかる偏波モード分散補償器の実施の形態１の構成を示すブロック図である。
【図２】本発明にかかる偏波モード分散補償器の実施の形態２の構成を示すブロック図である。
【図３】本発明にかかる偏波モード分散補償器の実施の形態３の構成を示すブロック図である。
【図４】本発明にかかる偏波モード分散補償器の実施の形態４の構成を示すブロック図である。
【図５】本発明にかかる偏波モード分散補償器の実施の形態５の構成を示すブロック図である。
【図６】本発明にかかる偏波モード分散補償器の実施の形態６の構成を示すブロック図である。
【図７】本発明にかかる偏波モード分散補償器の実施の形態７の構成を示すブロック図である。
【図８】本発明にかかる偏波モード分散補償器の実施の形態８の構成を示すブロック図である。
【符号の説明】
【００８４】
１  光入力端子
２  偏波調整部
３  光サーキュレータ
４ａ  偏波分離部
４ｂ  偏波合成部
４  偏波分離合成部
５  遅延時間調整部
５ａ、５ｂ、６ａ、６ｂ  ファイバブラックグレーティング
７  入力偏波モニタ部
８  光出力端子
９  光カプラ
１０  狭帯域光バンドパスフィルタ
１１  ＤＯＰモニタ
１５、１７、１８、１９  パワーモニタ部
２０、２１、２２  制御回路
３１、３２、３７、３８  光伝送路
【図１】
2008233366.tif 000003
【図２】
2008233366.tif 000004
【図３】
2008233366.tif 000005
【図４】
2008233366.tif 000006
【図５】
2008233366.tif 000007
【図６】
2008233366.tif 000008
【図７】
2008233366.tif 000009
【図８】
2008233366.tif 000010